(57)【要約】【課題】ケーブル口出し作業時にシースを除去しても内部の光ファイバが飛び出すことがなく、押え巻きテープを手で開くことで初めて光ファイバを取り出すことができる口出し作業を容易且つ短時間で行うことのできる光ファイバケーブルを提供する。【解決手段】光ファイバコア５を内部に収容するようにテープ両端６ａ，６ｂを重ね合わせるようにして押え巻きテープ６で被覆し、それらをシース７で覆ってなる光ファイバケーブル１。この光ファイバケーブル１では、押え巻きテープ６のテープ幅に対するテープ両端６ａ，６ｂが重なる割合を示すテープラップ率Ｐと、押え巻きテープのテープ厚ｔとの関係（Ｐ−１）／ｔが０．０１８以上とする。こうすることで、口出し作業時にシースを除去しても押え巻きテープの重なり部が口開きしない。【選択図】図１
2014077877.tif 000002
【特許請求の範囲】
【請求項１】
光ファイバコアを内部に収容するようにテープ両端を重ね合わせるようにして押え巻きテープで被覆し、それらをシースで覆ってなる光ファイバケーブルであって、
前記押え巻きテープのテープ幅に対するテープ両端が重なる割合を示すテープラップ率Ｐと、押え巻きテープのテープ厚ｔとの関係（Ｐ−１）／ｔが０．０１８以上である
ことを特徴とする光ファイバケーブル。
【請求項２】
請求項１に記載の光ファイバケーブルであって、
前記押え巻きテープは、予め熱により癖付けされて円筒形状とされた
ことを特徴とする光ファイバケーブル。
【請求項３】
請求項１に記載された光ファイバケーブルであって、
前記押え巻きテープは、シース被覆時の熱で癖付けされて円筒形状とされた
ことを特徴とする光ファイバケーブル。
【発明の詳細な説明】
【技術分野】
【０００１】
本発明は、光ファイバコアを押え巻きテープで被覆し、それらをシースで覆ってなる光ファイバケーブルに関する。
【背景技術】
【０００２】
例えば、特許文献１には、複数本の光ファイバを束ねプラスチックフィルムで縦添えしたものをシースで被覆した光ファイバケーブルが開示されております。この種の光ファイバケーブルでは、光ファイバコアの周囲に押え巻きテープを縦添えした場合、製造時に押え巻きテープが開いて内部の光ファイバが飛び出さないようにするために粗巻き糸が押え巻きテープの上に巻き付けられることがある。
【先行技術文献】
【特許文献】
【０００３】
【特許文献１】特開平８−２７１７７３号公報
【発明の概要】
【発明が解決しようとする課題】
【０００４】
しかし、粗巻き糸は、ケーブル口出し作業時に除去する必要があり、一般的には刃物を使用して除去するため、内部の光ファイバを傷付けないように注意する必要があることから作業時間が多く掛かる。
【０００５】
そこで、本発明は、ケーブル口出し作業時にシースを除去しても内部の光ファイバが飛び出すことがなく、押え巻きテープを手で開くことで初めて光ファイバを取り出すことができる口出し作業を容易且つ短時間で行うことのできる光ファイバケーブルを提供することを目的とする。
【課題を解決するための手段】
【０００６】
第１の発明は、光ファイバコアを内部に収容するようにテープ両端を重ね合わせるようにして押え巻きテープで被覆し、それらをシースで覆ってなる光ファイバケーブルであって、前記押え巻きテープのテープ幅に対するテープ両端が重なる割合を示すテープラップ率Ｐと、押え巻きテープのテープ厚ｔとの関係（Ｐ−１）／ｔが０．０１８以上であることを特徴としている。
【０００７】
第２の発明は、第１の発明であって、前記押え巻きテープは、予め熱により癖付けされて円筒形状とされたことを特徴としている。
【０００８】
第３の発明は、第１の発明であって、前記押え巻きテープは、シース被覆時の熱で癖付けされて円筒形状とされたことを特徴としている。
【発明の効果】
【０００９】
本発明によれば、テープラップ率Ｐと押え巻きテープのテープ厚ｔとの関係（Ｐ−１）／ｔが０．０１８以上であるので、口出し作業時にシースを除去しても押え巻きテープの重なり部が口開きしない。その結果、押え巻きテープの内部に収容された光ファイバが飛び出すのを防止することができ、ケーブル口出し作業を容易且つ短時間で行うことが可能となる。
【図面の簡単な説明】
【００１０】
【図１】図１は本実施形態の光ファイバケーブルの横断面図である。
【図２】図２は実験に使用した試料の光ファイバケーブルの横断面図である。
【図３】図３はテープ厚と（Ｐ−１）／ｔによる後分岐作業時の光ファイバコア保持特性を示す図である。
【発明を実施するための形態】
【００１１】
以下、本発明を適用した具体的な実施形態について図面を参照しながら詳細に説明する。
図１に示すように、光ファイバケーブル１は、複数本の光ファイバ２をバンチング糸３で束ねた光ファイバ束４の数本を纏めて光ファイバコア５とし、その光ファイバコア５を内部に収容するようにテープ両端６ａ，６ｂを重ね合わせるようにして押え巻きテープ６で被覆し、それらをシース７で被覆した構造となっている。
【００１２】
光ファイバ２は、中心に設けられる石英ガラスファイバの周囲に紫外線硬化型樹脂及び着色層を被覆して形成される着色光ファイバ素線からなる。また、着色光ファイバ素線を複数本並べて紫外線硬化型樹脂で一括被覆した光ファイバテープ心線や、互いに隣接する着色光ファイバ素線間を間欠的に固定した光ファイバテープ心線も、本発明の光ファイバ２に含むとする。
【００１３】
バンチング糸３は、各光ファイバ束４同士を識別できるように異なる色のものを使用することが望ましい。そうすることで、どの光ファイバ束４に属する光ファイバ２であるかを目視により認識することができる。
【００１４】
図１では、光ファイバ束４の数本を纏めて光ファイバコア５としているが、複数本の光ファイバ２をバンチング糸３で束ねた光ファイバ束４の１本を光ファイバコア５とすることもできる。つまり、光ファイバコア５は、光ファイバ束４が１本であろうが数本であろうがどちらでもよい。
【００１５】
押え巻きテープ６は、帯状のプラスチックフィルムの幅方向両端であるフィルム両端縁６ａ，６ｂを円周方向で一部重なる重なり部８が形成されるように円筒形状に成形することで形成されている。押え巻きテープ６は、予め熱により癖付けされて円筒形状とされるか、或いは、シース被覆時の熱で癖付けされて円筒形状とされる。
【００１６】
シース７には、ケーブルに曲げ方向性を持たせるために、ケーブルの中心を通る同一線上に２本の抗張力体９，９がケーブル長手方向に埋め込まれている。また、シース７には、ケーブル口出し時にシース７を引き裂き易くするための引き裂き紐１０，１０が設けられている。引き裂き紐１０，１０は、シース７を引き裂いて内部の光ファイバ束４を取り出し易くするために、押え巻きテープ６に接して或いはその近傍部に設けられている。
【００１７】
特に本実施形態では、中間後分岐作業時などにおいてシース７を引き裂いた時に押え巻きテープ６で覆った光ファイバ２がケーブル外に飛び出さないようにするための手段を講じている。具体的には、押え巻きテープ６のテープ幅に対するテープ両端６ａ，６ｂが重なる割合を示すテープラップ率Ｐと、押え巻きテープ６のテープ厚ｔとの関係（Ｐ−１）／ｔが０．０１８以上であるようにする。このような関係に押え巻きテープ６を円筒形状に成形すると、シース６を引き裂いても押え巻きテープ６の重なり部８が開かずに内部の光ファイバ２の飛び出しを防止することができる。
【００１８】
通常、光ファイバコア５は、伝送特性や歪み特性を確保する目的で、ケーブルに対して若干の余長を持った構造となっている。このため、シース７を除去した際にケーブル内部から光ファイバコア５が飛び出し易くなっている。そこで、本実施形態では、押え巻きテープ６のテープラップ率Ｐを高くすることで、シース除去時の光ファイバ２が飛び出す力を抑え、光ファイバ２をラップ内に閉じこめた状態にすることが、前記条件で可能となった。
【００１９】
以上のように、本実施形態の光ファイバケーブル１によれば、テープラップ率Ｐと押え巻きテープ６のテープ厚ｔとの関係（Ｐ−１）／ｔが０．０１８以上であるので、口出し作業時（中間後分岐作業時も含む）にシース７を除去しても押え巻きテープ６の重なり部８が口開きしない。その結果、押え巻きテープ６の内部に収容された光ファイバ２が飛び出すのを防止することができ、ケーブル口出し作業を容易且つ短時間で行うことが可能となる。
【００２０】
また、本実施形態の光ファイバケーブル１によれば、押え巻きテープ６は予め熱により癖付けされて円筒形状とされるので、癖付けされた押え巻きテープ６により重なり部８がより一層開き難くなる。
【００２１】
また、本実施形態の光ファイバケーブル１によれば、押え巻きテープ６はシース被覆時の熱で癖付けされて円筒形状とされているので、シース７を被覆する作業と同時に押え巻きテープ６を円筒形状とすることができ作業性が良くなる。
【００２２】
表１に示す条件で試作した光ファイバケーブルを後分岐作業して光ファイバコア保持性を評価した。なお、光ファイバコアの直径は、４．５〜６．０ｍｍのケーブルで試作し評価した。表１は、テープラップ率とテープ厚との関係を示し、光ファイバの飛び出しがあった場合を×、光ファイバの飛び出しが無かった場合を○とした。図２は重なり部の少ない光ファイバケーブル１の横断面図を示す。図３はテープ厚と（Ｐ−１）／ｔによる後分岐時の光ファイバコア保持特性を示す。図３では、光ファイバの飛び出しがあった場合を×、光ファイバの飛び出しが無かった場合を○とした。
【００２３】
【表１】
2014077877.tif 000003
【００２４】
この結果、ラップ率Ｐと押え巻きテープのテープ厚ｔとの関係（Ｐ−１）／ｔが０．０１８以上のとき、良好な光ファイバコアの保持性が得られることが判った。
【産業上の利用可能性】
【００２５】
本発明は、光ファイバコアを内部に収容するようにテープ両端を重ね合わせるようにして押え巻きテープで被覆し、それらをシースで覆ってなる光ファイバケーブルに利用することができる。
【符号の説明】
【００２６】
１  光ファイバケーブル
２  光ファイバ
３  バンドル糸
４  光ファイバ束
５  光ファイバコア
６  押え巻きテープ
７  シース
８  重なり部
【図１】
2014077877.tif 000004
【図２】
2014077877.tif 000005
【図３】
2014077877.tif 000006